(57)【要約】      （修正有）【課題】従来の鋼材の生産管理システムには、発注後の製品の長さ変更問い合わせへの簡便な対応形態がない。【解決手段】注文内容変更装置１０は、発注時に注文者から提示してもらった製品合計長さの変更可能範囲内に収まることを制約条件とし、これに製造者側での注文進捗状況および素材段取り面からの制約条件を加え、これら制約条件下でのみ注文者端末１上での製品長さと本数の注文内容変更手続き実行を許容する注文内容変更画面を、注文者からのアクセスに応じて注文者端末に表示する。【選択図】図１
2011034253.tif 000002
【特許請求の範囲】
【請求項１】
通信回線を介して注文者端末と接続される鋼材の製造者の生産管理システムが、前記注文者端末からの特定の注文内容の変更要求に対し前記製造者の許容範囲内でのみ応じるための鋼材の注文内容変更装置であって、
前記特定の注文内容として、発注時に受けた複数の製品の長さ、本数の各値および前記複数の製品の長さの合計の下限と上限の各値を含む注文内容情報を記憶する注文内容情報記憶部と、
前記特定の注文内容と関連づけて生成あるいは更新された、注文進捗情報、素材準備情報、および長さ変更可能情報をそれぞれ記憶する、注文進捗情報記憶部、素材準備情報記憶部、および長さ変更可能情報記憶部と、
前記変更要求に応じて、前記注文内容情報、注文進捗情報、素材準備情報、および長さ変更可能情報からそれぞれ前記特定の注文内容に対応する情報を取得する、注文内容情報取得手段、注文進捗情報取得手段、素材準備情報取得手段、および長さ変更可能情報取得手段とを有し、
前記注文内容情報取得手段、注文進捗情報取得手段、素材準備情報取得手段、および長さ変更可能情報取得手段の取得した情報を基に、前記製造者の許容範囲としての前記複数の製品の製造の進捗状況と該進捗状況に対応した製品寸法の変更可能範囲とを、前記複数の製品の長さおよび本数の各値とともに、該複数の製品の長さおよび本数の各値の書換が可能な表示様式に編集して前記注文者端末に画面表示し、
前記注文者端末からの更新指令に応じて、前記注文内容情報中の前記複数の製品の長さおよび本数の各値を、前記画面表示中の前記複数の製品の長さおよび本数の各値へ更新する
ことを特徴とする鋼材の注文内容変更装置。
【発明の詳細な説明】
【技術分野】
【０００１】
本発明は、鋼材の注文内容変更装置に関する。
【背景技術】
【０００２】
特許文献１には、金属ミルが供給する金属材料の生産管理の最適化を実現するネットワークシステムに関する技術に関して、少なくとも需要家からの注文に基づき金属材料を生産する金属ミル、および当該需要家と通信手段を介して通信可能な情報処理装置などが記載されている。これによれば、需要家は生産管理システムから提供される画面（Web画面）上で、生産進度情報を参照し、注文訂正可否検討（シミュレーション）依頼をしてその回答を受け、該回答の結果に基づいて日別の材料取引予定情報を書き換えることができる。
【０００３】
特許文献２には、素材産業において受注前に生産計画のシミュレーションを行い、需要家の注文条件に見合った生産計画の立案と、製造コストを適正に反映した受注条件を提示することが可能なコンピュータによる受注交渉支援方法が記載されている。
【先行技術文献】
【特許文献】
【０００４】
【特許文献１】特開２００２−３２１００６号公報
【特許文献２】特開２００５−２４２８１６号公報
【発明の概要】
【発明が解決しようとする課題】
【０００５】
鋼材の受注生産を行う製造者は、長さが異なる製品を複数個発注した注文者から、前記発注に係る個々の製品の長さの変更に関して問い合わせを受ける場合がある。このような場合、前記特許文献1，２などの背景技術には簡便な対応形態がないので、旧来の電話やFaxによる通信方法で交信せざるをえないが、問い合わせを受けてから変更可否検討をして回答するまでに少なくとも２回は交信しなければならず、不便かつ非効率であった。
【課題を解決するための手段】
【０００６】
本発明は前記不便かつ非効率な点を解消するための手段を提供するものであり、その要旨は次のとおりである。
（１）通信回線を介して注文者端末と接続される鋼材の製造者の生産管理システムが、前記注文者端末からの特定の注文内容の変更要求に対し前記製造者の許容範囲内でのみ応じるための鋼材の注文内容変更装置であって、
前記特定の注文内容として、発注時に受けた複数の製品の長さ、本数の各値および前記複数の製品の長さの合計の下限と上限の各値を含む注文内容情報を記憶する注文内容情報記憶部と、
前記特定の注文内容と関連づけて生成あるいは更新された、注文進捗情報、素材準備情報、および長さ変更可能情報をそれぞれ記憶する、注文進捗情報記憶部、素材準備情報記憶部、および長さ変更可能情報記憶部と、
前記変更要求に応じて、前記注文内容情報、注文進捗情報、素材準備情報、および長さ変更可能情報からそれぞれ前記特定の注文内容に対応する情報を取得する、注文内容情報取得手段、注文進捗情報取得手段、素材準備情報取得手段、および長さ変更可能情報取得手段とを有し、
前記注文内容情報取得手段、注文進捗情報取得手段、素材準備情報取得手段、および長さ変更可能情報取得手段の取得した情報を基に、前記製造者の許容範囲としての前記複数の製品の製造の進捗状況と該進捗状況に対応した製品寸法の変更可能範囲とを、前記複数の製品の長さおよび本数の各値とともに、該複数の製品の長さおよび本数の各値の書換が可能な表示様式に編集して前記注文者端末に画面表示し、
前記注文者端末からの更新指令に応じて、前記注文内容情報中の前記複数の製品の長さおよび本数の各値を、前記画面表示中の前記複数の製品の長さおよび本数の各値へ更新する
ことを特徴とする鋼材の注文内容変更装置。
【発明の効果】
【０００７】
本発明によれば、上記のとおり構成したことにより、鋼材の受注生産を行う製造者へ長さが異なる製品を複数個発注した注文者が、通信回線を介して製造者の生産管理システムに接続する注文者端末を操作するだけで、前記発注に係る個々の製品の長さと本数を製造者の許容範囲内で変更する手続きの実行が可能となり、かかる手続きが簡便にかつ効率良く遂行できるようになる。
【図面の簡単な説明】
【０００８】
【図１】本発明装置の構成の１例を示すブロック図
【図２】本発明装置の使用形態の１例を示すフロー図
【図３】製品長さ変更の制約条件の説明図
【図４】「素材手配待ち」の場合の注文内容変更画面の例（(a)は変更前、(b)は変更後）を示す図
【図５】「製造待ち」の場合の注文内容変更画面の例（(a)は変更前、(b)は変更後）を示す図
【発明を実施するための形態】
【０００９】
本発明に係る鋼材の注文内容変更装置（略して本発明装置）について、図１に構成の１例を示したブロック図を用いて説明する。同図に示されるように、本発明装置１０は、基本的に、通信回線２（一般にＷｅｂサーバー３により通信制御がなされる）を介して注文者端末１と接続される鋼材の製造者の生産管理システム１００が、注文者端末１からの特定の注文内容の変更（詳しくは発注した個々の製品の長さと本数の変更）要求に対し前記製造者の許容範囲内でのみ応じるためのものである。
【００１０】
本発明装置１０は、情報記憶部として、注文内容情報記憶部４、注文進捗情報記憶部５、素材準備情報記憶部６、長さ変更可能情報記憶部７の計４つを、生産管理システム１００と共有する。そして、本発明装置１０は、前記変更要求があったときに、前記計４つの情報記憶部（注文内容情報記憶部４、注文進捗情報記憶部５、素材準備情報記憶部６、長さ変更可能情報記憶部７）の各々からそれぞれ当該変更要求に係る特定の注文内容に対応する情報を取得する情報取得手段として、注文内容情報取得手段１４、注文進捗情報取得手段１５、素材準備情報取得手段１６、長さ変更可能情報取得手段１７の計４つを有する。
【００１１】
注文内容情報記憶部４、注文進捗情報記憶部５、素材準備情報記憶部６、長さ変更可能情報記憶部７にそれぞれ記憶される情報の例をこの順に表１（注文内容情報），表２（注文進捗情報），表３（素材準備情報），表４（長さ変更可能情報）に示す。これらの例は鋼材が鋼管である場合の例であり、以下の説明ではこの例を用いるが、この例以外の場合（鋼材が線材、棒鋼、鋼板、形鋼などの場合）でも製品寸法項目の適宜添削（例えば線・棒では厚さは削除される等々）により、本発明は容易に適用できる。
【００１２】
【表１】
2011034253.tif 000003
【００１３】
【表２】
2011034253.tif 000004
【００１４】
【表３】
2011034253.tif 000005
【００１５】
【表４】
2011034253.tif 000006
【００１６】
注文内容情報は、表１に示すように、発注時に注文者から提示されたデータに注文者番号、注文番号を付して登録したものである。なお、寸法の単位はｍｍである（以下同じ）。本発明では、注文者には、発注時に、所望の複数の製品の寸法、本数のほか、それらの長さを変更する場合に備え、長さ変更後の複数の製品の長さの合計値の上限と下限を提示してもらう。これが注文者側からの制約条件であり、便宜上、制約条件Iと呼ぶ。
【００１７】
注文進捗情報は、表２に示すように、注文番号と一緒に進捗情報を記録したものである。進捗状況には、時系列順に「素材手配待ち」、「製造待ち」、「出荷待ち」、「出荷済」の４段階があり、うち、注文後の長さ変更が許されるのは、素材手配待ちと製造待ちの段階である。
素材準備情報は、表３に示すように、注文番号と一緒に素材番号、素材長さ、製品採取内訳を記録したものである。なお、表３は進捗状況＝「製造待ち」の場合の例であるが、進捗状況＝「素材手配待ち」の場合は、素材番号、素材長さ、製品採取内訳は未定である。
【００１８】
長さ変更可能情報は、表４に示すように、注文者番号と一緒に、製品規格、製品の外径、厚さ、製品１本の長さ範囲（下限長さ、上限長さ）を記録したものである。この長さ範囲は素材から製品を採取する際に製造者側が設ける第１の制約条件であり、便宜上、制約条件IIと呼ぶ。この例では、製品長さ12000を基準として（-2000〜+1000）の範囲としている。
【００１９】
「素材手配待ち」の段階では、前記制約条件I,IIを満たせる範囲内で長さ変更可能である。一方、「製造待ち」の段階では、製品への素材割当てが終わっているので、製造者側から、素材単位の製品の合計長さが、その単位素材の長さ以下でなければならないという第２の制約条件が付加される。これを便宜上、制約条件IIIと呼ぶ。例えば図３に示すように、７本の製品Ａ１〜Ａ７のうち、製品Ａ１〜Ａ３に素材Ｂ１、製品Ａ４〜Ａ７に素材Ｂ２が割当てられたとすると、製品Ａ１〜Ａ３の合計長さは素材Ｂ１の長さ以下（図３の例では余剰なし）でなければならず、かつ、製品Ａ４〜Ａ７の合計長さは素材Ｂ２の長さ以下（図３の例では余剰あり）でなければならない。
【００２０】
そして、本発明装置１０は、注文内容情報取得手段１４、注文進捗情報取得手段１５、素材準備情報取得手段１６、長さ変更可能情報取得手段１７の取得した情報を基に、前記製造者の許容範囲としての前記複数の製品の製造の進捗状況と該進捗状況に対応した製品寸法の変更可能範囲（前記制約条件I,II、あるいはさらにIII）とを、前記複数の製品の長さおよび本数の各値（現在の値）とともに、該複数の製品の長さおよび本数の各値の書換が可能な表示様式（便宜上、この表示様式を注文内容変更画面と呼ぶ）に編集して前記注文者端末１に画面表示する。
【００２１】
さらに、前記注文者端末からの更新要求に応じて、前記注文内容情報中の前記複数の製品の長さおよび本数の各値（現在の値）を、前記画面表示中の前記複数の製品の長さおよび本数の各値（変更された値）へ更新する。
図４は、進捗状況が「素材手配待ち」である場合の前記注文内容変更画面の１例を示す図である。この例は、注文内容情報が表１の値であり、素材番号は未定であり、長さ変更可能情報は表４の値である場合に対応する。この場合、同画面に表示された制約条件I,II相当条件を満たす範囲内で長さと本数の変更が可能である。図４(a）は変更前、図４(b)は変更後である。なお、画面上で長さ、寸法を入力後、「再計算」押下で合計値が再計算され、「更新」押下で各記憶部の対応項目の値が、現有記憶値から画面上の表示値へと更新される。
【００２２】
図５は、進捗状況が「製造待ち」である場合の前記注文内容変更画面の１例を示す図である。この例は、注文内容情報が表１の値であり、素材番号等は表３の値であり、長さ変更可能情報は表４の値である場合に対応する。この場合、同画面に表示された制約条件I,II,III相当条件を満たす範囲内で長さと本数の変更が可能である。図５(a）は変更前、図５(b)は変更後である。なお、画面上で長さ、寸法を入力後、「再計算」押下で合計値が再計算され、「更新」押下で注文内容記憶部４の製品長さと本数の値が、現有記憶値から画面上の表示値へと更新される。
【００２３】
なお、本発明装置には、前記「再計算」押下後の合計値が制約条件I,IIIを満たすか否かを判定し、いずれか一方が否である場合、「更新」押下に対してエラーメーッセージを表示して、再入力を促す機能をもたせることが好ましい。
また、注文者端末１からのアクセスに応じて同端末に表示する初期メニュー画面（図示省略）の提供は生産管理システム１００に委ねられている。
【００２４】
図２は、本発明装置の使用形態の１例を示すフロー図である。アクセス開始後、注文者は前記初期メニュー画面上で、ＩＤ・パスワード入力に次いで任意の注文番号の長さ変更範囲の問い合わせを行う（[1][2]）。この問い合わせに応じて、本発明装置１０は[2]の注文番号に係る進捗状況の取得および長さ変更可能状況の取得を実行し（[3][4]）、注文内容変更画面(例えば図５(a))を注文者端末１に表示する。注文者は表示された注文内容変更画面で[2]の注文番号の進捗と長さ変更可能範囲を確認し（[5]）、変更後の製品長さと本数（所望値）を入力し、「再計算」を押下する（[6]）。これに応じて本発明装置１は[6]の入力値が制約条件を満足していることを確認し、小計・合計を再表示する（[7]；例えば図５(b)）。注文者は再表示結果を確認し「更新」を押下する（[8]）。これに応じて本発明装置１は、注文内容情報記憶部４中の製品長さと本数の記憶値を[6]の入力値に変更する（[9]）。その後、手続きが完了した旨のメッセージを表示する。注文者はこれを確認してアクセスを終了する。
【符号の説明】
【００２５】
１  注文者端末
２  通信回線
３  Ｗｅｂサーバー
４  注文内容情報記憶部
５  注文進捗情報記憶部
６  素材準備情報記憶部
７  長さ変更可能情報記憶部
１０  注文内容変更装置（本発明装置）
１４  注文内容情報取得手段
１５  注文進捗情報取得手段
１６  素材準備情報取得手段
１７  長さ変更可能情報取得手段
１００  生産管理システム
【図１】
2011034253.tif 000007
【図２】
2011034253.tif 000008
【図３】
2011034253.tif 000009
【図４】
2011034253.tif 000010
【図５】
2011034253.tif 000011